(57)【要約】【課題】  本発明は、一輪挿し用造花の花びらを点滅させることにより美観を得る装飾品として使用される発光ユニットを提供することを課題とする。【解決手段】基板の上方に電池等のバッテリ２を収納するバッテリ保持部材３と傾斜センサースイッチ部材４と発光ランプ部材５を設け、該傾斜センサースイッチ部材４の傾斜姿勢変化に起因して電源回路を入り切りするように構成し、傾斜センサースイッチ部材４が上向き姿勢状態にあるときには電源回路を入りとして発光ランプ部材５を発光させ、傾斜センサースイッチ部材４が横向き姿勢状態にあるときには電源回路を切りとして発光ランプ部材５を消灯させる発光ユニットに構成し、一輪挿し用造花Ｆを、多色に変化する３色ＬＥＤで優雅な電飾効果を得ることのできる傾斜感知型の発光装置にしたもの。  【選択図】  図５
2007012501.tif 000002
【特許請求の範囲】
【請求項１】
基板の上方に電池等のバッテリを収納するバッテリ保持部材と傾斜センサースイッチ部材と発光ランプ部材を設け、該傾斜センサースイッチ部材の傾斜姿勢変化に起因して電源回路を入り切りするように構成し、傾斜センサースイッチ部材が上向き姿勢状態にあるときには電源回路を入りとして発光ランプ部材を発光させ、傾斜センサースイッチ部材が横向き姿勢状態にあるときには電源回路を切りとして発光ランプ部材を消灯させる発光ユニットに構成したことを特徴とする傾斜感知型の発光装置。
【請求項２】
基板の上方に、バッテリ保持部材と傾斜センサースイッチ部材と発光ランプ部材とを配設するのに、バッテリ保持部材を基板に近接して配置すると共に、基板に架設した傾斜センサースイッチ部材の上部に積層位置させて発光ランプ部材を基板より架設し、発光ランプ部材を最上位に位置させたことを特徴とする請求項１記載の傾斜感知型の発光装置。
【請求項３】
基板の上方に、バッテリ保持部材と傾斜センサースイッチ部材と発光ランプ部材とを下から順番に積層して配設して、発光ランプ部材を最上位に位置させたことを特徴とする請求項１、２記載の傾斜感知型の発光装置。
【請求項４】
基板の上方に、バッテリ保持部材を左右に衝立状に立設配置し、該バッテリ保持部材の中間に、傾斜センサースイッチ部材と発光ランプ部材とを下から順番に積層して配設して、発光ランプ部材を最上位に位置させたことを特徴とする請求項１、２記載の傾斜感知型の発光装置。
【請求項５】
発光ランプ部材が電源回路を入りの時に、ゆっくりと発光し、ゆっくりと消灯しながら、多色に変化する制御回路付きの３色ＬＥＤで構成されていること特徴とする請求項１、２、３、４記載の傾斜感知型の発光装置。
【請求項６】
棒状の把持部材の上方に半透過性部材で構成された発光ユニット収納部を設け、該発光ユニット収納部内に、前記把持部材の延長線に直交させる方向姿勢で発光ユニットの基板を固定し、該把持部材を上向き姿勢状態にした時に発光ランプ部材を発光させるようにしたことを特徴とする請求項１、２、３、４、５記載の傾斜感知型の発光装置。
【請求項７】
棒状の把持部材を茎部とし、上方に半透過性部材を複数の花弁を有する花とした造花に形成し、該花の内部中央に発光ユニットを収納したことを特徴とする請求項６記載の傾斜感知型の発光装置。
【請求項８】
半透過性部材を軟質性の部材で構成された外側の花弁部材と、硬質性の部材で構成された内側の蕾部材に構成し、該蕾部材の内部に発光ユニットを収納したことを特徴とする請求項６記載の傾斜感知型の発光装置。
【請求項９】
複数の造花を横向き姿勢に手提げ容器に収納し、造花の一つづつ若しくは複数を上向き姿勢でテーブル上の花立てに差し込んで上向き姿勢状態を保持させ、発光ランプ部材の発光を維持するようにしたことを特徴とする請求項７及び８に記載の傾斜感知型の発光装置。
【請求項１０】
支柱を蔓状に立設構成した造花用茎部に複数の花受け部を設けた蔓状造花台において、該複数の花受け部に造花の一つづつ若しくは複数を上向き姿勢で差し込んで上向き姿勢状態を保持させ、発光ランプ部材の発光を維持するようにしたことを特徴とする請求項７及び８に記載の傾斜感知型の発光装置。
【発明の詳細な説明】
【技術分野】
【０００１】
本発明は、例えば、一輪挿し用造花の花びら中央部に発光ダイオード（ＬＥＤ）からなる発光ランプ部材を設置し、これを点滅させることにより美観を得る装飾品として使用される発光ユニットに係り、特に、発光ユニットの姿勢変化に起因して発光、消灯を制御させることにより、取り扱い性を良くして優雅な電飾効果を得ることのできる傾斜感知型の発光装置の技術に関する。 
【背景技術】
【０００２】
従来、例えば、特許文献１、２に示されるように花びらの内部に発光ダイオード（ＬＥＤ）を設置し、これを点滅させることにより美観を得る装飾品は知られている。
【特許文献１】特開２０００−３７９９７号公報
【特許文献２】特開平  ８−３０２５１２号公報
【発明の開示】
【発明が解決しようとする課題】
【０００３】
特許文献１、２のものは、電源部分が花びら以外の部分にあり、配線やスイッチ構成等の配設に特別な工夫を必要とするもので、構造が複雑で外観にも制限があると共に簡便に持ち運びができなく機動性に劣る等の課題があった。
そのために、本特許出願人においては図１４の開発実験例に示すように、一輪挿しの人工造花の花弁Ｚの中に、発光ダイオード（ＬＥＤ）からなる発光ランプＲを内蔵し、茎部となる軸芯Ｋに電池Ｂと引き抜きスイッチＳを設けて、スイッチＳの抜き操作に起因して発光ランプＲの電源回路を入り操作することにより、発光ランプＲを消灯状態から点灯状態に切り替え操作するものを試みたが、スイッチ操作の機敏性および点灯、消灯制御の点で更なる改善を求められていた。
【０００４】
本発明が前述の状況に鑑み、解決しようとするところは、電源部分と発光ランプ及びスイッチ部材を一体的にして、小型でコンパクトな発光ユニットに構成することを課題にして、発光ユニットの姿勢変化に起因して点灯発光、消灯の切り替えをなして取り扱いの容易さと、操作の確実さ、操作行動や雰囲気の優雅さを演出できて、当事者だけでなく、周りの人々との観賞性を増し、ブライダル等のキャンドルサービス、メインキャンドルに変わる演出用アイテムのツールとしての位置付けになることも目的としている。
【課題を解決するための手段】
【０００５】
本発明は、前述の課題解決のために、第一に、基板の上方に電池等のバッテリを収納するバッテリ保持部材と傾斜センサースイッチ部材と発光ランプ部材を設け、該傾斜センサースイッチ部材の傾斜姿勢変化に起因して電源回路を入り切りするように構成し、傾斜センサースイッチ部材が上向き姿勢状態にあるときには電源回路を入りとして発光ランプ部材を発光させ、傾斜センサースイッチ部材が横向き姿勢状態にあるときには電源回路を切りとして発光ランプ部材を消灯させる発光ユニットに構成したことを特徴とする傾斜型の発光装置であることを要旨としている。
【０００６】
従って、基板の上方にバッテリ保持部材と傾斜センサースイッチ部材と発光ランプ部材をコンパクトに配設することができると共に、傾斜センサースイッチ部材の傾斜姿勢変化に起因して発光ランプ部材の発光、消灯をタイミング良く制御することができる。
【０００７】
第二に、基板の上方に、バッテリ保持部材と傾斜センサースイッチ部材と発光ランプ部材とを配設するのに、バッテリ保持部材を基板に近接して配置すると共に、基板に架設した傾斜センサースイッチ部材の上部に積層位置させて発光ランプ部材を基板より架設し、発光ランプ部材を最上位に位置させたことにより発光効果を有効に活用できる。
【０００８】
第三に、基板の上方に、バッテリ保持部材と傾斜センサースイッチ部材と発光ランプ部材とを下から順番に積層して配設して、発光ランプ部材を最上位に位置させたことによりコンパクトな構成にして取り扱い性を向上させる。
【０００９】
第四に、基板の上方に、バッテリ保持部材を左右に衝立状に立設配置し、該バッテリ保持部材の中間に、傾斜センサースイッチ部材と発光ランプ部材とを下から順番に積層して配設して、発光ランプ部材を最上位に位置させたことによりバッテリ容量を増大して発光ランプ部材の発光効果をより高めながらも、コンパクトな構成にして取り扱い性を向上させる。
【００１０】
第五に、発光ランプ部材が電源回路を入りの時に、ゆっくりと発光し、ゆっくりと消灯しながら、多色に変化する制御回路付きの３色ＬＥＤで構成されていること特徴とするものであり、これにより発光、消灯を蛍の光のようにゆっくりと除変することができ更に発光色も７色等に順番に変化することができて、効果的な発光の演出とキャンドルサービスに代わる演出アイテムに利用が可能となり、宝石がきらめくように優美で暖かい輝きを放つことができる。
【００１１】
第六に、棒状の把持部材の上方に半透過性部材で構成された発光ユニット収納部を設け、該発光ユニット収納部内に、前記把持部材の延長線に直交させる方向姿勢で基板を固定し、該把持部材を上向き姿勢状態にした時に発光ランプ部材を発光させるようにしたことを特徴とし、発光ランプ部材を半透過性部材で被覆することにより更に宝石がきらめくように優美で暖かい輝きを放つことができ、しかも上向き姿勢状態にした時に発光するのでその効果が増大される。
【００１２】
第七に、棒状の把持部材を茎部と、上方に半透過性部材を複数の花弁を有する花とした造花に形成し、該花の内部中央に発光ユニットを収納したことを特徴とするもので、造花（例えばバラの花）にした場合には、発光ユニットの姿勢変化に起因して発光、消灯の切り替えをなして取り扱いの容易さと、操作の確実さ、操作雰囲気の優雅さを演出できて、当事者だけでなく、周りの人々との観賞性を増し、ブライダル等のキャンドルサービスに変わる演出用アイテムのツールとしての位置付けになることも目的としている。
請求項４記載の発光装置。
【００１３】
第八に半透過性部材を軟質性の部材で構成された外側の花弁部材と、硬質性の部材で構成された内側の蕾部材に構成し、該蕾部材の内部に発光ユニットを収納したことを特徴とする。この構成により発光ユニットを硬質性の蕾部材で保護することが可能となり発光ユニットを不測に損傷する恐れが少なくなるので、発光ユニットを長期に亘って確実に使用して発光、消灯作動させることができる。
【００１４】
第九に、複数の造花を横向き姿勢に手提げ容器に収納し、造花の一つずつ若しくは複数を上向き姿勢でテーブル上の花立てに差し込んで上向き姿勢状態を保持させ、発光ランプ部材の発光を維持するようにしたことを特徴とするもので、造花（例えばバラの花）にした場合には、発光装置の姿勢変化に起因して発光、消灯の切り替えをなして取り扱いの容易さと、操作の確実さ、操作雰囲気の優雅さを演出できて、当事者だけでなく、周りの人々との観賞性を増し、ブライダル等のキャンドルサービスに変わる演出用アイテムのツールとしての位置付けにも最適になるものである。また、発光ユニットが３色ＬＥＤで構成されているときには、発光、消灯を蛍の光のようにゆっくりと除変することができ更に発光色も７色等に順番に変化することができて、更に会場内の雰囲気向上に寄与でるものである。
【００１５】
第十に、支柱を蔓状に立設構成した造花用茎部に複数の花受け部を設けた蔓状造花台において、該複数の花受け部に造花の一つづつ若しくは複数を上向き姿勢で差し込んで上向き姿勢状態を保持させ、発光ランプ部材の発光を維持するようにしたことを特徴とするもので、造花（例えばバラの花）にした場合には、発光装置の姿勢変化に起因して各花受け用ポットに上向き姿勢で差し込んだ本発明に係る発光ユニットを内装した造花が発光維持し、且つ発光ユニットが３色ＬＥＤで構成されているときには、発光、消灯を蛍の光のようにゆっくりと除変することができ更に発光色も７色等に順番に変化することができて、発色の変化と、発光、消灯の切り替えをなして取り扱いの容易さと、操作の確実さ、操作雰囲気の優雅さを演出できて、当事者だけでなく、周りの人々との観賞性を増し、ブライダル等のキャンドルサービスの時のメインキャンドルに変わる演出用アイテムのツールとしての位置付けにも最適になるものである。
【発明の効果】
【００１６】
本発明の構成により、単一の基板をベース部材として、電源部分と発光ランプ及びスイッチ部材を一体的にして、小型でコンパクトな発光器に構成することができて、これを一輪挿しの人工造花の花弁部に収納させた時には、発光器の姿勢変化に起因して点灯発光、消灯の切り替えをなして取り扱いの容易さと、操作の確実さ、操作行動や雰囲気の優雅さを演出できて、当事者だけでなく、周りの人々との観賞性を増し、室内や店舗等の装飾効果の向上、家庭、病院、介護施設、等での癒しの向上、或いはブライダル等のキャンドルサービスメインキャンドルに変わる演出用アイテムのツールとして活用できる効果を奏するものである。
【発明を実施するための最良の形態】
【００１７】
以下、本発明の実施形態を図面に基づいて詳細に説明する。
符号１は上面に銅箔等の電導体が添着されている円形若しくは多角形の円盤状の基板であり、該基板１の上方に電池等の円盤型バッテリ２を出し入れ自在に収納するバッテリ保持部材３が台形ドーム状に形成されて基板１に近接して配設されて取り付けられ、このバッテリ保持部材３の上部にボールスイッチ型４ｓの傾斜センサースイッチ部材４が前後二カ所の配線用金属部材４ａを介して基板１に架設され、更に該傾斜センサースイッチ部材４の上方に位置するように制御回路５ａ付きのＬＥＤ発光ランプ部材５が２本の配線用金属部材５ｂを介して設けてある。
【００１８】
該ＬＥＤ発光ランプ部材５は制御回路５ａの制御により七色等の多色に変化する３色ＬＥＤからなるものであり、発光ランプ部材５が電源回路を入りの時に、ゆっくりと発光し、ゆっくりと消灯しながら、多色に変化する制御回路５ａ付きの３色ＬＥＤで構成されているものであり、これにより発光、消灯を蛍の光のようにゆっくりと除変することができ、更に発光色も７色に順番に変化することができる。
これにより、基板１の上方に、バッテリ保持部材３と傾斜センサースイッチ部材４と発光ランプ部材５が下から順番に積層して配設されており、発光ランプ部材４を最上位に位置させてコンパクトな構成にしてあり取り扱い性を向上させる。
【００１９】
そして、上記傾斜センサースイッチ部材４の傾斜姿勢変化に起因して電源回路を入り切りするように構成されており、傾斜センサースイッチ部材４が上向き姿勢状態にあるときに、ボールスイッチ４ｓが導通して電源回路を入りとして制御回路５ａを介して発光ランプ部材５を発光させ、傾斜センサースイッチ部材４が上向き姿勢状態以外の横向き姿勢や下向き姿勢状態にあるときには、ボールスイッチ４ｓが非導通となり、電源回路を切りとして発光ランプ部材５を消灯させる傾斜型の発光装置に構成されており、傾斜センサースイッチ部材４の傾斜姿勢変化に起因して照明ランプ部材５の発光、消灯がタイミング良く制御されている。
【００２０】
図２、図３は、本発明の第２実施形態であるバッテリ２の容量をアップした発光ユニットの一例を示す。前述した第１実施形態の小型発光ユニットは、小光量の発光用として有効であるが、電源容量が小さく、発光照度も限定され、例えば、３色ＬＥＤの発色性能、作用を効果的に発揮させるには更なるバッテリ容量の増大が望まれている。
【００２１】
図２は、容量をアップした発光ユニットを示すもので、図2は、正面図、図３は側面図を示す。このものは基本的には前記の図１と同様な構成を採用しており、符号１は上面に銅箔等の電導体が添着されている円盤状の基板であり、該基板１の上方の左右に電池等のバッテリ２、２を交換自在に挟持するバネ板箸状のバッテリ保持部材３、３が立設配設されて取り付けられ、円盤型バッテリ２、２を基板１上に衝立状に位置させる。
【００２２】
このバッテリ保持部材３、３の間に位置してボールスイッチ型の傾斜センサースイッチ部材４が前後二カ所の配線用金属部材４ａを介して基板１に架設され、更に該傾斜センサースイッチ部材４の上方に位置するように制御回路５ａ付きのＬＥＤ発光ランプ部材５が２本の配線用金属部材５ｂを介して設けてある。該ＬＥＤ発光ランプ部材５は七色等の多色に変化する３色ＬＥＤからなるものであり、ボールスイッチ４ｓが導通して電源回路を入りとして制御回路５ａを介して発光ランプ部材５を発光させ、ゆっくりと発光し、ゆっくりと消灯しながら、多色に変化する制御回路５ａ付きで構成されているものであり、これにより発光、消灯を蛍の光のようにゆっくりと除変することができ、更に発光色も７色に順番に変化することができる。
【００２３】
上記の図２、図３で説明される本発明の第２実施形態のものは、バッテリ２が、発光ランプ部材５、傾斜センサー４、を挟むように衝立状に立設させて設けてあることから、他物に接触させたような不測な事故のとき、発光ランプ部材５、傾斜センサー４、配線部５ｂを保護することができるよう構成されている。
【００２４】
発光ランプ部材５は、側面に設置したバッテリ２、２に隠れないように２本の配線５ｂを支持部材にして点灯が確認できる最上部位置に設置されている。これらにより、発光ランプ部材５の発光効果をより高めながらも、コンパクトな構成にして取り扱い性を向上させる。
【００２５】
図４は、制御回路の概念図を示す。使用例の場合、傾斜センサー４が水平に近い横姿勢状態になると、傾斜センサー４のボールスイッチ４ｓの導通が断たれて電源部からの電源を遮断して発光ランプ５を消灯するように設定してある。傾斜センサー４が直立に近い直立姿勢状態になると、ボールスイッチ４ｓが導通されて電源部からの電源を通電し制御回路５ａを介して発光部の発光ランプ５を点灯するように設定してある。
これら傾斜センサー４の傾斜に基づくボールスイッチ４ｓの位置および導通作用を図１２、図１３に示す。図１２のように傾斜センサー４の傾斜が直立姿勢以外にあると、ボールスイッチ４ｓが自重により転がって左右配線部を架橋しない位置にあり導通が断たれて電源部からの電源を遮断している。図１３のように傾斜センサー４が直立姿勢若しくは直立姿勢に近い状態にあると、ボールスイッチ４ｓが自重により転がって左右配線部を架橋する位置にあり電源部からの電源を導通している。
【００２６】
傾斜センサー４が直立に近い状態で電源が通電すると、制御部５ａの制御回路が発光ランプ５の３色LEDを決められた７色の指定色の順に、ゆっくりと点灯を初めて発光し、そして、ゆっくりと消灯して、爾後７色の点灯を繰り返すことができる点灯制御を行うようになっている。
すなわち、発光ランプ部材５が電源回路を入りの時に、ゆっくりと発光し、ゆっくりと消灯しながら、多色に変化する３色ＬＥＤで構成されていること特徴とするものであり、これにより発光、消灯を蛍の光のようにゆっくりと除変することができ更に発光色も７色等に順番に変化することができて、効果的な発光の演出とキャンドルサービスに代わる演出アイテムに利用が可能となり、宝石がきらめくように優美で暖かい輝きを放つことができる。
【００２７】
図５は、造花に本発明の発光ユニットを応用した実施形態の一例を示す。
造花で作られたバラの花Ｆの花梗（棒状の把持部材）Ｋの先端部に花床９をがく１０と一体的の構成し、この上に蕾部材となる硬質製の花冠６が取り付けてある。この硬質製の花冠６で発光ユニット８を包むように発光ユニット８の基板１の下部で一体的に取り付けられている。
また、硬質製の花冠６の外側には花弁部材となる軟質製の花弁７が、該花冠６を幾重にも取り巻くように複数枚数設けられ、外観上は生花のバラに類似した構成となっている。
【００２８】
硬質製の花冠６は樹脂製で、軟質製の花弁７は繊維質部材製で構成され、いずれも半透明の材質でできており、発光ランプ部材５が点灯したときには、光の一部が透過する感じの半透過性部材で構成されており、花弁７が発光ランプ部材５の七色変化に応じてほのぼのとした灯りを反映させて、多色に煌めくように変化構成されているものである。
【００２９】
硬質製の花冠６は、成形後は変形しにくい樹脂製材質が使用されており、本提案のバラの花Ｆを束にして、軟質製の花弁７同士が接触し、押し合っても硬質製の花冠６の中に設置された発光ユニット８は、硬質製の花冠６の強度で保護され、発光ユニット８が損傷することを防止することができる。
このように、軟質製の花弁７で既存の造花のイメージを損なうことなく発光ユニット８を硬質性の花冠６で保護することが可能となり、発光ユニット８を不測に損傷する恐れが少なくなるので、発光ユニット８を長期に亘って確実に使用して発光、消灯作動させることができる。
なお、第２実施形態については、左右に衝立状に立設配置したバッテリ保持部材３及びバッテリ２の中間に、傾斜センサースイッチ部材４と発光ランプ部材５とを下から順番に積層して配設しているので、傾斜センサースイッチ部材４と発光ランプ部材５とがバッテリ保持部材３に挟持されたバッテリ２で保護される形態になり、上記硬質製の花冠６を省略して花弁７だけで包囲するようにしても良い。
【００３０】
発光ユニット８が基板１の上方にまとめて、バッテリ２、傾斜センサー４、発光ランプ部５が設置してあり、基板１の下方には何も無い状態で構成してあるため、バラの花梗Ｋの先端部の花床９、硬質製の花冠６を接着した上に、発光ユニット８をしっかりと、また容易に接着することが出来、バラの花Ｆに作用する種々な荷重が作用しても、容易に破損しない強い強度の構成が出来ることとなる。このとき、基板１が円形若しくは多角形の円盤状に構成されていると花冠６の円形底に取り付けやすい利点もある。
【００３１】
このように、棒状の把持部材Ｋの上方に半透過性部材で構成された発光ユニット８収納部を設け、該発光ユニット８収納部内に、前記把持部材Ｋの延長線に直交させる方向姿勢で基板１を固定し、該把持部材Ｋを上向き姿勢状態にした時に発光ランプ部材５を発光させるようにしたことを特徴とし、発光ランプ部材５を半透過性部材で被覆することにより更に宝石がきらめくように優美で暖かい輝きを放つことができ、しかも上向き姿勢状態にした時に発光するのでその効果が増大される。
【００３２】
図６、図７、図８は、結婚式等で多く見られるキャンドルサービスの形態に代えて、本発明のバラの花Ｆを、新郎、新婦が各テーブルにサービスする状況を示した図である。
【００３３】
図６、図７、図８に示すように、新郎、新婦が各テーブルにサービスに廻るとき、新郎若しくは新婦が、本発明のバラ造花Ｆの花束を横向き姿勢に寝かせた状態で図６のような手提げ容器B等に収納して、若しくは図７のように把手で束ねた状態で持参し、お客様が位置する各テーブルＴ上の花立てＨへ、本発明のバラの花Ｆを一本ずつ若しくは複数本を差し込むときバラの花Ｆを上向き姿勢に立てると、傾斜センサー４が作用し、横にして抱えているバラの花Ｆは点灯しないのに、立てて差し込むバラの花Ｆが、きれいに点灯し、お客様に大きな感動を与えることとなる。
【００３４】
また、一般的にこのサービスのときには会場内の照明は暗くしてあり、各テーブルＴ上の花立てＨの位置も見えにくく把握し難い状態であるが、本発明のバラの花Ｆを上向き姿勢にすることで発光して照明代わりとなり、花立てＨの位置を視認しながら発光状態のバラの花Ｆを花立てＨに差し込み、上向き状態を保持させて発光を持続させるものである。そして、バラの花Ｆの発光、消灯を蛍の光のようにゆっくりと除変することができ更に発光色も七色等に順番に変化することができて、効果的な発光の演出とキャンドルサービスに代わる演出アイテムに利用が可能となり、宝石がきらめくように優美で暖かい輝きを放つことができる。
なお、この場合に各テーブルＴ上の花立てＨに差し込む他に、各テーブルのお客様にも思い出の記念としてバラの花Ｆを一本づつ若しくは複数本を点灯状態で手渡すようにしてもよい。
造花（例えばバラの花）にした場合には、発光装置の姿勢変化に起因して発光、消灯の切り替えをなして取り扱いの容易さと、操作の確実さ、操作雰囲気の優雅さを演出できて、当事者だけでなく、周りの人々との観賞性を増し、ブライダル等のキャンドルサービスに変わる演出用アイテムのツールとしての位置付けにも最適になるものである。
【００３５】
図９、図１０、図１１は、上記に説明した、新郎、新婦が各テーブルにサービスしたときのクライマックスとしてのメインキャンドル形態に代えて使用できる蔓状造花台１１を用いた発光装置に関するものの状況を示した図である。
【００３６】
該蔓状造花台１１は、ベース板１２から疑似葉１３を設けた支柱１４を蔓状に立設して造花用茎部１５を構成し、該造花用茎部１５の上下適所に花受け部としての複数のリング状のポット支持体１６を設け、該ポット支持体１６に花受け用ポット１７を嵌入させて支持したもので構成される。そして、この花受け用ポット１７を嵌入させた状態の蔓状造花台１１を披露宴会場のメインコーナーにベース板１２等の下部を花飾り等できれいに被覆した状態で設置しておく。しかるに、新郎若しくは新婦が、前述のようにお客様の各テーブルＴ上の花立てＨへ、本発明のバラの花Ｆを上向き姿勢に差し込んで美しく優雅に点灯させて、お客様に大きな感動を与えた余韻が残る中で、予め雰囲気良く装飾されて設置されている蔓状造花台１１の場所に移動していく。
【００３７】
披露宴会場のメインコーナーに移動した新郎、新婦が、該蔓状造花台１１にセットされている複数の花受け用ポット１７に、バスケットなどから取り出した茎部を短くした（図５の長さＬに設定したもの）本発明に係る造花（ローズの造花）Ｆの一つづつ若しくは複数を上向き姿勢で差し込んで上向き姿勢状態を保持させ、発光ランプ部材５の発光を維持するようすることにより、傾斜センサー４が作用し、横姿勢のバラの花Ｆは点灯しないのに、上向き姿勢で差し込むバラの花Ｆが美しく点灯し、さらに差し込んだものから順次に点灯し、上下複数個のもの、ひとつひとつの花Ｆが次々と点灯して輝き始めていくのでお客様に更に大きな感動と喜びの余韻を与えることとなる。
尚、上記バラの花Ｆは花受け用ポット１７をセットしているときには該花受け用ポット１７に差し込むが、リング状のポット支持体１６のみの時には該ポット支持体１６に差し込むようにしても良く、これらが花受け部としての機能を有するものである。また、蔓状造花台１１の形態は支柱１４が上方に立設するものの他に、横方向に伸長するもの若しくは扇状に展開するものでも良く、疑似葉１３を有するか否かも問わないものであり、要はバラの花Ｆを支持できる花受け部を設けた構成にされていれば良いものである。
【００３８】
以上説明したように、棒状の把持部材を葉の付いた茎部とし、上方に半透過性部材を複数の花弁を有する花とした造花に形成し、該花の内部中央に発光器を収納したことを特徴とするもので、造花（例えばバラの花）にした場合には、発光装置の姿勢変化に起因して発光、消灯の切り替えをなして取り扱いの容易さと、操作の確実さ、操作雰囲気の優雅さを演出できて、当事者だけでなく、周りの人々との観賞性を増し、ブライダル等のキャンドルサービスに変わる演出用アイテムのツールとしての位置付けになることも目的としている。
【産業上の利用可能性】
【００３９】
本発明は、従来の生花と違い、多種の色が点灯する造花は、人の心を癒し、感動を与えるもので、結婚式を初めとする冠婚葬祭への利用、入院患者さんへの贈り物、一般家庭、等各種の場面、場所等に応用できるものであり、特に照明管理できる会場内のイベント利用などで暗闇、夜間の癒し効果が十分期待できるものである。夜間に限らずその使用形態は、これらのものに限定されるものではない。
【図面の簡単な説明】
【００４０】
【図１】本発明の第１実施形態である小型の発光ユニットの正面図である。
【図２】本発明の第２実施形態である容量をアップした発光ユニットの正面図である。
【図３】本発明の第２実施形態である容量をアップした発光ユニットの側面図である。
【図４】制御回路の概念図である。
【図５】本発明の発光ユニットをバラ態様の造花に応用した実施形態を示す一部断面した側面図である。
【図６】本発明の使用形態を説明するバスケット（手提げ容器）にバラ態様の造花を入れた図である。
【図７】使用形態を説明する新婦がバラ態様造花の花束を抱えている図である。
【図８】使用形態を説明する新婦がバラ態様の造花を差し出した図である。
【図９】別の使用形態を説明する蔓状造花台を示す全体斜視図である。
【図１０】蔓状造花台の花受け用ポットに造花を差し込んだ状態を示す要部の拡大斜視図である。
【図１１】蔓状造花台の花受け用ポットに造花を差し込んだ状態を示す全体斜視図である。
【図１２】本発明の第２実施形態である発光ユニットの傾斜センサーに設けられたボールスイッチの電源回路遮断状態を示す作用側面図である。
【図１３】本発明の第２実施形態である発光ユニットの傾斜センサーに設けられたボールスイッチの電源回路導通状態を示す作用側面図である。
【図１４】本発明に至る途中の発光ユニットをバラ態様の造花に応用した開発実験例を示す一部断面した側面図である。
【符号の説明】
【００４１】
１  基板  
２  バッテリ
３  バッテリ保持部材  
４  傾斜センサー制御部
５  発光ランプ
６  硬質製の花冠（蕾部材）
７  軟質製の花弁（花弁部材）
８  発光ユニット
９  花床
１０  がく
１１  蔓状造花台
１７  花受け用ポット
Ｆ  造花（バラの花）
【図１】
2007012501.tif 000003
【図２】
2007012501.tif 000004
【図３】
2007012501.tif 000005
【図４】
2007012501.tif 000006
【図５】
2007012501.tif 000007
【図６】
2007012501.tif 000008
【図７】
2007012501.tif 000009
【図８】
2007012501.tif 000010
【図９】
2007012501.tif 000011
【図１０】
2007012501.tif 000012
【図１１】
2007012501.tif 000013
【図１２】
2007012501.tif 000014
【図１３】
2007012501.tif 000015
【図１４】
2007012501.tif 000016